(57)【特許請求の範囲】
【請求項１】
相互に平行な一対の第１縁辺と、これら第１縁辺に対して直交する相互に平行な一対の第２縁辺と、前記第１縁辺の両端および前記第２縁辺の両端からこれらに対して交差する方向にそれぞれ延在する４つの第３縁辺とによって仕切られる八角形の底壁部と、
前記第１縁辺を介して前記底壁部からそれぞれ立ち上がる一対の第１側壁部と、
前記第２縁辺を介して前記底壁部からそれぞれ立ち上がる一対の第２側壁部と、
これら一対の第２側壁部の両側縁辺にそれぞれ接続し、前記第３縁辺からそれぞれ立ち上がる４つの隅壁部と、
前記第２側壁部と反対側の前記隅壁部の側縁辺にそれぞれ接続し、前記第１側壁部の内側にそれぞれ重ね合わされる４つの連結壁部と、
これら連結壁部から前記底壁部側に向けてそれぞれ突出する複数の差し込みタブと、
前記一対の第１縁辺に沿ってこれらにそれぞれ接するように前記底壁部に形成され、前記差し込みタブがそれぞれ差し込まれる一対の差し込み孔と、
前記底壁部と反対側の前記一対の第１側壁部の上縁辺にそれぞれ接続し、前記一対の第１側壁部との間に２つの前記連結壁部をそれぞれ挟んだ状態で前記一対の第１側壁部の内側にそれぞれ重ね合わされる一対の第１側壁補強部と、
これら一対の第１側壁補強部から前記底壁部側に向けてそれぞれ突出して前記一対の差し込み孔にそれぞれ差し込まれる一対の第２差し込みタブと
を具え、
前記第１縁辺に沿った前記差し込み孔の両端から前記底壁部の中央側に向けて前記底壁部にそれぞれ刻設された２本のスリットと、
前記第１縁辺と平行に前記底壁部に形成されて前記２本のスリットの先端を相互に接続する罫線と
をさらに具えたことを特徴とする組立形トレイ。
【請求項２】
前記一対の第１側壁部および前記一対の第１側壁補強部のそれぞれ上縁辺を相互に接続する一対の第１頂面部をさらに具えたことを特徴とする請求項１に記載の組立形トレイ。
【請求項３】
前記一対の第１側壁補強部の両側縁辺にそれぞれ接続し、前記隅壁部の内側にそれぞれ重ね合わされる４つの隅壁補強部をさらに具えたことを特徴とする請求項１または請求項２に記載の組立形トレイ。
【請求項４】
前記一対の第２側壁部の内側にそれぞれ重ね合わされる一対の第２側壁補強部と、
前記底壁部と反対側の前記第２側壁部の上縁辺および前記第２側壁補強部の上縁辺にそれぞれ接続する一対の第２頂面部と、
前記一対の第２側壁補強部から前記底壁部側に向けてそれぞれ突出する一対の第３差し込みタブと、
前記一対の第２縁辺に沿ってこれらにそれぞれ接するように前記底壁部に形成され、前記一対の第３差し込みタブがそれぞれ差し込まれる一対の第３差し込み孔と
をさらに具えたことを特徴とする請求項１から請求項３の何れか一項に記載の組立形トレイ。
【請求項５】
前記一対の第２側壁部から前記底壁部の反対側に向けてそれぞれ突出し、上に積み重ねられる組立形トレイの第２側壁部にそれぞれ当接する一対の積み重ね案内タブをさらに具えたことを特徴とする請求項１から請求項３の何れか一項に記載の組立形トレイ。
【請求項６】
相互に平行な一対の第１縁辺と、これら第１縁辺に対して直交する相互に平行な一対の第２縁辺と、前記第１縁辺の両端および前記第２縁辺の両端からこれらに対して交差する方向にそれぞれ延在する４つの第３縁辺とによって仕切られる八角形の底壁部と、
前記第１縁辺を介して前記底壁部からそれぞれ立ち上がる一対の第１側壁部と、
前記第２縁辺を介して前記底壁部からそれぞれ立ち上がる一対の第２側壁部と、
これら一対の第２側壁部の両側縁辺にそれぞれ接続し、前記第３縁辺からそれぞれ立ち上がる４つの隅壁部と、
前記第２側壁部と反対側の前記隅壁部の側縁辺にそれぞれ接続し、前記第１側壁部の内側にそれぞれ重ね合わされる４つの連結壁部と、
これら連結壁部から前記底壁部側に向けてそれぞれ突出する複数の差し込みタブと、
前記一対の第１縁辺に沿ってこれらにそれぞれ接するように前記底壁部に形成されて前記差し込みタブがそれぞれ差し込まれる一対の差し込み孔と、
前記一対の第２側壁部の内側にそれぞれ重ね合わされる一対の第２側壁補強部と、
前記底壁部と反対側の前記第２側壁部の上縁辺および前記第２側壁補強部の上縁辺にそれぞれ接続する一対の第２頂面部と、
前記一対の第２側壁補強部から前記底壁部側に向けてそれぞれ突出する一対の第３差し込みタブと、
前記一対の第２縁辺に沿ってこれらにそれぞれ接するように前記底壁部に形成され、前記第３差し込みタブがそれぞれ差し込まれる一対の第３差し込み孔と、
前記底壁部と反対側の前記第１側壁部の上縁辺にそれぞれ接続し、前記底壁部と対向する複数の補強桟部と、
前記第２頂面部にそれぞれ形成された４つの第４差し込み孔と、
前記第２頂面部と対向する前記補強桟部の縁辺から前記第４差し込み孔を介して前記第２側壁部と前記第２側壁補強部との間にそれぞれ差し込まれる４つの第４差し込みタブと
を具え、
前記第１縁辺に沿った前記差し込み孔の両端から前記底壁部の中央側に向けて前記底壁部にそれぞれ刻設された２本のスリットと、
前記第１縁辺と平行に前記底壁部に形成されて前記２本のスリットの先端を相互に接続する罫線と
をさらに具えたことを特徴とする組立形トレイ。
【請求項７】
前記底壁部と反対側の前記一対の第１側壁部の上縁辺にそれぞれ接続し、前記一対の第１側壁部との間に２つの前記連結壁部をそれぞれ挟んだ状態で前記一対の第１側壁部の内側にそれぞれ重ね合わされる一対の第１側壁補強部と、
これら一対の第１側壁補強部から前記底壁部側に向けてそれぞれ突出して前記一対の差し込み孔にそれぞれ差し込まれる一対の第２差し込みタブと
をさらに具え、前記補強桟部は、前記第１縁辺と平行な第１の方向に沿った前記第１側壁補強部の両側縁辺に接するように、前記一対の第１側壁部にそれぞれ接続していることを特徴とする請求項６に記載の組立形トレイ。
【請求項８】
前記一対の第１側壁部および前記一対の第１側壁補強部のそれぞれ上縁辺を相互に接続する一対の第１頂面部をさらに具えたことを特徴とする請求項７に記載の組立形トレイ。
【請求項９】
前記底壁部と反対側の前記連結壁部の上縁辺から前記底壁部と平行にそれぞれ突出して第１頂面部の内側にそれぞれ重なり合う複数の第１頂面補強部をさらに具えたことを特徴とする請求項８に記載の組立形トレイ。
【請求項１０】
前記第１縁辺に沿った個々の前記連結壁部の長さは、前記第１縁辺に沿った前記第１側壁部の長さの１／２であることを特徴とする請求項１から請求項９の何れか一項に記載の組立形トレイ。
【請求項１１】
第１の方向に沿って相互に平行に延在する一対の第１罫線と、前記第１の方向に対して直交する第２の方向に沿って相互に平行に延在する一対の第２罫線と、前記第１罫線の両端および前記第２罫線の両端から前記第１および第２の方向に対して交差する方向にそれぞれ延在する４つの斜辺とによって仕切られる八角形の底壁部と、
前記一対の第１罫線を介して前記底壁部にそれぞれ接続する一対の第１側壁部と、
前記一対の第２罫線を介して前記底壁部にそれぞれ接続する一対の第２側壁部と、
前記第２の方向に沿った前記第２側壁部の両側にそれぞれ位置し、前記第１罫線と平行な第３罫線を介して前記第２側壁部にそれぞれ接続する４つの隅壁部と、
前記隅壁部を挟んで前記第２側壁部の反対側に位置し、前記第３罫線と平行な第４罫線を介して前記隅壁部にそれぞれ接続する４つの連結壁部と、
これら連結壁部からこれらにそれぞれ近接する前記第１側壁部側に向けてそれぞれ突出する複数の差し込みタブと、
前記一対の第１罫線にそれぞれ接するように前記底壁部に形成され、組立形トレイの組立時に前記差し込みタブが差し込まれる一対の差し込み孔と、
前記第１側壁部を挟んで前記底壁部の反対側に位置し、前記第１罫線と平行な第５罫線を介して前記一対の第１側壁部にそれぞれ接続する一対の第１側壁補強部と、
前記第５罫線と反対側の前記第１側壁補強部の縁辺から前記第２の方向にそれぞれ突出し、組立形トレイの組立時に前記一対の差し込み孔にそれぞれ差し込まれる一対の第２差し込みタブと
を具え、
前記第１の方向に沿った前記差し込み孔の両端から前記底壁部の中央側に向けて前記底壁部に刻設された２本のスリットと、
前記第１罫線と平行に前記底壁部に形成されて前記２本のスリットの先端を相互に接続する罫線と
をさらに具えたことを特徴とする組立形トレイのブランクシート。
【請求項１２】
前記第１側壁部と前記第１側壁補強部との間に配され、前記第５罫線を介して前記一対の第１側壁部にそれぞれ接続すると共に前記第５罫線と平行な第６罫線を介して前記一対の第１側壁補強部にそれぞれ接続する一対の第１頂面部をさらに具えたことを特徴とする請求項１１に記載の組立形トレイのブランクシート。
【請求項１３】
前記第１の方向に沿った前記第１側壁補強部の両側にそれぞれ位置し、前記第２罫線と平行な第７罫線を介して前記第１側壁補強部に接続する４つの隅壁補強部をさらに具えたことを特徴とする請求項１１または請求項１２に記載の組立形トレイのブランクシート。
【請求項１４】
前記第２側壁部を挟んで前記底壁部の反対側に位置し、前記第２罫線と平行な第８罫線を介して前記一対の第２側壁部にそれぞれ接続する一対の第２頂面部と、
前記第２頂面部を挟んで前記第２側壁部の反対側に位置し、前記第８罫線と平行な第９罫線を介して前記一対の第２頂面部にそれぞれ接続する一対の第２側壁補強部と、
前記第２頂面部と反対側の第２側壁補強部の縁辺からそれぞれ突出する一対の第３差し込みタブと、
前記第２罫線に沿ってこれらにそれぞれ接するように前記底壁部に形成され、組立形トレイの組立時に前記一対の第３差し込みタブがそれぞれ差し込まれる一対の第３差し込み孔と
をさらに具えたことを特徴とする請求項１１から請求項１３の何れか一項に記載の組立形トレイのブランクシート。
【請求項１５】
前記底壁部と反対側の前記第２側壁部の縁辺から前記第１の方向にそれぞれ突出する一対の積み重ね案内タブをさらに具えたことを特徴とする請求項１１から請求項１３の何れか一項に記載の組立形トレイのブランクシート。
【請求項１６】
第１の方向に沿って相互に平行に延在する一対の第１罫線と、前記第１の方向に対して直交する第２の方向に沿って相互に平行に延在する一対の第２罫線と、前記第１罫線の両端および前記第２罫線の両端から前記第１および第２の方向に対して交差する方向にそれぞれ延在する４つの斜辺とによって仕切られる八角形の底壁部と、
前記一対の第１罫線を介して前記底壁部にそれぞれ接続する一対の第１側壁部と、
前記一対の第２罫線を介して前記底壁部にそれぞれ接続する一対の第２側壁部と、
前記第２の方向に沿った前記一対の第２側壁部の両側にそれぞれ位置し、前記第１罫線と平行な第３罫線を介して前記一対の第２側壁部にそれぞれ接続する４つの隅壁部と、
前記隅壁部を挟んで前記一対の第２側壁部の反対側にそれぞれ位置し、前記第３罫線と平行な第４罫線を介して前記隅壁部にそれぞれ接続する４つの連結壁部と、
これら連結壁部からこれらにそれぞれ近接する前記第１側壁部側に向けてそれぞれ突出する複数の差し込みタブと、
前記一対の第１罫線に沿ってこれらにそれぞれ接するように前記底壁部に形成され、組立形トレイの組立時に前記差し込みタブがそれぞれ差し込まれる一対の差し込み孔と、
前記第２側壁部を挟んで前記底壁部の反対側に位置し、前記第２罫線と平行な第８罫線を介して前記一対の第２側壁部にそれぞれ接続する一対の第２頂面部と、
前記第２頂面部を挟んで前記第２側壁部の反対側に位置し、前記第８罫線と平行な第９罫線を介して前記一対の第２頂面部にそれぞれ接続する一対の第２側壁補強部と、
前記第２頂面部と反対側の第２側壁補強部の縁辺からそれぞれ突出する一対の第３差し込みタブと、
前記一対の第２罫線に沿ってこれらにそれぞれ接するように前記底壁部に形成され、組立形トレイの組立時に前記一対の第３差し込みタブがそれぞれ差し込まれる一対の第３差し込み孔と、
前記第１側壁部を挟んで前記底壁部の反対側に位置するように前記第１罫線と平行な第５罫線を介して前記一対の第１側壁部にそれぞれ接続し、前記第１の方向に沿った前記一対の第２罫線の間隔に等しい幅をそれぞれ有する一対の補強桟部と、
これら補強桟部から前記第２罫線と平行な第１０罫線を介して前記第１の方向に沿って外側にそれぞれ突出する４つの第４差し込みタブと、
前記一対の第２頂面部にそれぞれ形成され、組立形トレイの組立時に前記第４差し込みタブがそれぞれ差し込まれる４つの第４差し込み孔と
を具え、
前記第１の方向に沿った前記差し込み孔の両端から前記底壁部の中央側に向けて前記底壁部に刻設された２本のスリットと、
前記第１罫線と平行に前記底壁部に形成されて前記２本のスリットの先端を相互に接続する罫線と
をさらに具えたことを特徴とする組立形トレイのブランクシート。
【請求項１７】
前記第１側壁部を挟んで前記底壁部の反対側に位置し、前記第１罫線と平行な第５罫線を介して前記一対の第１側壁部にそれぞれ接続する一対の第１側壁補強部と、
前記第５罫線と反対側の前記第１側壁補強部の縁辺から前記第２の方向にそれぞれ突出し、組立形トレイの組立時に前記一対の差し込み孔にそれぞれ差し込まれる一対の第２差し込みタブと
をさらに具え、個々の前記補強桟部は、前記第１の方向に沿った前記第１側壁補強部の両側縁辺に接してそれぞれ配されていることを特徴とする請求項１６に記載の組立形トレイのブランクシート。
【請求項１８】
前記第１側壁部と前記第１側壁補強部との間に配され、前記第５罫線を介して前記一対の第１側壁部にそれぞれ接続すると共に前記第５罫線と平行な第６罫線を介して前記一対の第１側壁補強部にそれぞれ接続する一対の第１頂面部をさらに具えたことを特徴とする請求項１７に記載の組立形トレイのブランクシート。
【請求項１９】
前記差し込みタブと反対側の前記連結壁部の縁辺からそれぞれ突出し、前記第８罫線と平行な第１１罫線を介して前記連結壁部にそれぞれ接続する複数の第１頂面補強部をさらに具えたことを特徴とする請求項１８に記載の組立形トレイのブランクシート。
【請求項２０】
前記第２の方向に沿った個々の前記連結壁部の長さは、前記第１の方向に沿った前記第１側壁部の長さの１／２であることを特徴とする請求項１１から請求項１９の何れか一項に記載の組立形トレイのブランクシート。
【発明の詳細な説明】
【技術分野】
【０００１】
本発明は、物品を収容するための組立形トレイおよびそのブランクシートに関し、特に段ボール製の八角形トレイに適用して好適である。
【背景技術】
【０００２】
農家が野菜などの生産物を小分け状態で出荷し、そのまま小売り店舗などにて積み重ねた状態で展示販売することができる簡便な小型の組立形トレイに対する需要が高まっている。また、視覚的効果を高めるため、八角形の組立形トレイが特許文献１などで提案されている。
【先行技術文献】
【特許文献】
【０００３】
【特許文献１】特開２００８−９４４０３号公報
【発明の概要】
【発明が解決しようとする課題】
【０００４】
特許文献１に開示された八角形の組立形トレイにおいては、一対の折曲片に切溝をそれぞれ形成し、これら切溝が相互にかみ合うように一対の折曲片を連結する必要がある。このため、特許文献１に開示された組立形トレイを単純な往復動作を行うアクチュエーターを組み合わせた簡便な製函機を用いてそのブランクシートから自動的に組み立てることは困難である。
【０００５】
本発明の目的は、簡便な製函機を用いて組み立てることが可能な視覚的効果に優れた八角形の組立形トレイおよびそのブランクシートを提供することにある。
【課題を解決するための手段】
【０００６】
本発明の第１の形態は、相互に平行な一対の第１縁辺と、これら第１縁辺に対して直交する相互に平行な一対の第２縁辺と、前記第１縁辺の両端および前記第２縁辺の両端からこれらに対して交差する方向にそれぞれ延在する４つの第３縁辺とによって仕切られる八角形の底壁部と、
前記第１縁辺を介して前記底壁部からそれぞれ立ち上がる一対の第１側壁部と、
前記第２縁辺を介して前記底壁部からそれぞれ立ち上がる一対の第２側壁部と、
これら一対の第２側壁部の両側縁辺にそれぞれ接続し、前記第３縁辺からそれぞれ立ち上がる４つの隅壁部と、
前記第２側壁部と反対側の前記隅壁部の側縁辺にそれぞれ接続し、前記第１側壁部の内側にそれぞれ重ね合わされる４つの連結壁部と、
これら連結壁部から前記底壁部側に向けてそれぞれ突出する複数の差し込みタブと、
前記一対の第１縁辺に沿ってこれらにそれぞれ接するように前記底壁部に形成され、前記差し込みタブがそれぞれ差し込まれる一対の差し込み孔と、
前記底壁部と反対側の前記一対の第１側壁部の上縁辺にそれぞれ接続し、前記一対の第１側壁部との間に２つの前記連結壁部をそれぞれ挟んだ状態で前記一対の第１側壁部の内側にそれぞれ重ね合わされる一対の第１側壁補強部と、
これら一対の第１側壁補強部から前記底壁部側に向けてそれぞれ突出して前記一対の差し込み孔にそれぞれ差し込まれる一対の第２差し込みタブと
を具えたことを特徴とする組立形トレイにある。
【０００７】
本発明の第１の形態による組立形トレイにおいて、前記一対の第１側壁部および前記一対の第１側壁補強部のそれぞれ上縁辺を相互に接続する一対の第１頂面部をさらに具えることができる。
【０００８】
前記一対の第１側壁補強部の両側縁辺にそれぞれ接続し、前記隅壁部の内側にそれぞれ重ね合わされる４つの隅壁補強部をさらに具えることができる。
【０００９】
前記一対の第２側壁部の内側にそれぞれ重ね合わされる一対の第２側壁補強部と、前記底壁部と反対側の前記第２側壁部の上縁辺および前記第２側壁補強部の上縁辺にそれぞれ接続する一対の第２頂面部と、前記一対の第２側壁補強部から前記底壁部側に向けてそれぞれ突出する一対の第３差し込みタブと、前記一対の第２縁辺に沿ってこれらにそれぞれ接するように前記底壁部に形成され、前記一対の第３差し込みタブがそれぞれ差し込まれる一対の第３差し込み孔とをさらに具えることができる。
【００１０】
前記一対の第２側壁部から前記底壁部の反対側に向けてそれぞれ突出し、上に積み重ねられる組立形トレイの第２側壁部にそれぞれ当接する一対の積み重ね案内タブをさらに具えることができる。
【００１１】
前記第１縁辺に沿った前記差し込み孔の両端から前記底壁部の中央側に向けて前記底壁部にそれぞれ刻設された２本のスリットと、前記第１縁辺と平行に前記底壁部に形成されて前記２本のスリットの先端を相互に接続する罫線とをさらに具えることができる。
【００１２】
本発明の第２の形態は、相互に平行な一対の第１縁辺と、これら第１縁辺に対して直交する相互に平行な一対の第２縁辺と、前記第１縁辺の両端および前記第２縁辺の両端からこれらに対して交差する方向にそれぞれ延在する４つの第３縁辺とによって仕切られる八角形の底壁部と、
前記第１縁辺を介して前記底壁部からそれぞれ立ち上がる一対の第１側壁部と、
前記第２縁辺を介して前記底壁部からそれぞれ立ち上がる一対の第２側壁部と、
これら一対の第２側壁部の両側縁辺にそれぞれ接続し、前記第３縁辺からそれぞれ立ち上がる４つの隅壁部と、
前記第２側壁部と反対側の前記隅壁部の側縁辺にそれぞれ接続し、前記第１側壁部の内側にそれぞれ重ね合わされる４つの連結壁部と、
これら連結壁部から前記底壁部側に向けてそれぞれ突出する複数の差し込みタブと、
前記一対の第１縁辺に沿ってこれらにそれぞれ接するように前記底壁部に形成されて前記差し込みタブがそれぞれ差し込まれる一対の差し込み孔と、
前記一対の第２側壁部の内側にそれぞれ重ね合わされる一対の第２側壁補強部と、
前記底壁部と反対側の前記第２側壁部の上縁辺および前記第２側壁補強部の上縁辺にそれぞれ接続する一対の第２頂面部と、
前記一対の第２側壁補強部から前記底壁部側に向けてそれぞれ突出する一対の第３差し込みタブと、
前記一対の第２縁辺に沿ってこれらにそれぞれ接するように前記底壁部に形成され、前記第３差し込みタブがそれぞれ差し込まれる一対の第３差し込み孔と、
前記底壁部と反対側の前記第１側壁部の上縁辺にそれぞれ接続し、前記底壁部と対向する複数の補強桟部と、
前記第２頂面部にそれぞれ形成された４つの第４差し込み孔と、
前記第２頂面部と対向する前記補強桟部の縁辺から前記第４差し込み孔を介して前記第２側壁部と前記第２側壁補強部との間にそれぞれ差し込まれる４つの第４差し込みタブと
を具えたことを特徴とする組立形トレイにある。
【００１３】
本発明の第２の形態による組立形トレイにおいて、前記底壁部と反対側の前記一対の第１側壁部の上縁辺にそれぞれ接続し、前記一対の第１側壁部との間に２つの前記連結壁部をそれぞれ挟んだ状態で前記一対の第１側壁部の内側にそれぞれ重ね合わされる一対の第１側壁補強部と、これら一対の第１側壁補強部から前記底壁部側に向けてそれぞれ突出して前記一対の差し込み孔にそれぞれ差し込まれる一対の第２差し込みタブとをさらに具え、前記補強桟部は、前記第１の方向に沿った前記第１側壁補強部の両側縁辺に接するように、前記一対の第１側壁部にそれぞれ接続しているものであってよい。この場合、前記一対の第１側壁部および前記一対の第１側壁補強部のそれぞれ上縁辺を相互に接続する一対の第１頂面部をさらに具えることができる。また、前記底壁部と反対側の前記連結壁部の上縁辺から前記底壁部と平行にそれぞれ突出して第１頂面部の内側にそれぞれ重なり合う複数の第１頂面補強部をさらに具えることができる。
【００１４】
本発明の第１または第２の形態による組立形トレイにおいて、前記第１縁辺に沿った個々の前記連結壁部の長さは、前記第１縁辺に沿った前記第１側壁部の長さの１／２であることが好ましい。
【００１５】
本発明の第３の形態は、第１の方向に沿って相互に平行に延在する一対の第１罫線と、前記第１の方向に対して直交する第２の方向に沿って相互に平行に延在する一対の第２罫線と、前記第１罫線の両端および前記第２罫線の両端から前記第１および第２の方向，に対して交差する方向にそれぞれ延在する４つの斜辺とによって仕切られる八角形の底壁部と、
前記一対の第１罫線を介して前記底壁部にそれぞれ接続する一対の第１側壁部と、
前記一対の第２罫線を介して前記底壁部にそれぞれ接続する一対の第２側壁部と、
前記第２の方向に沿った前記第２側壁部の両側にそれぞれ位置し、前記第１罫線と平行な第３罫線を介して前記第２側壁部にそれぞれ接続する４つの隅壁部と、
前記隅壁部を挟んで前記第２側壁部の反対側に位置し、前記第３罫線と平行な第４罫線を介して前記隅壁部にそれぞれ接続する４つの連結壁部と、
これら連結壁部からこれらにそれぞれ近接する前記第１側壁部側に向けてそれぞれ突出する複数の差し込みタブと、
前記一対の第１罫線にそれぞれ接するように前記底壁部に形成され、組立形トレイの組立時に前記差し込みタブが差し込まれる一対の差し込み孔と、
前記第１側壁部を挟んで前記底壁部の反対側に位置し、前記第１罫線と平行な第５罫線を介して前記一対の第１側壁部にそれぞれ接続する一対の第１側壁補強部と、
前記第５罫線と反対側の前記第１側壁補強部の縁辺から前記第２の方向にそれぞれ突出し、組立形トレイの組立時に前記一対の差し込み孔にそれぞれ差し込まれる一対の第２差し込みタブと
を具えたことを特徴とする組立形トレイのブランクシートにある。
【００１６】
本発明においては、例えば第３罫線および第４罫線から隅壁部および連結壁部をそれぞれ最初に折り曲げる。次に、第２罫線から第２側壁部を隅壁部および連結壁部と共に９０°折り曲げ、連結壁部から突出する差し込みタブを差し込み孔に差し込んで第１の方向に対向する２つの連結壁部の側端面を突合せ状態にする。そして、第１側壁部を第１罫線から９０°折り曲げて連結壁部に当接状態とする。最後に、第１側壁補強部を第５罫線から１８０°折り曲げて連結壁部を挟むように第１側壁部に重ね合わせ、第３差し込みタブを第３差し込み孔に差し込むことにより、本発明の第１の形態による組立形トレイの組み立てを完了する。
【００１７】
本発明の第３の形態による組立形トレイのブランクシートにおいて、前記第１側壁部と前記第１側壁補強部との間に配され、前記第５罫線を介して前記一対の第１側壁部にそれぞれ接続すると共に前記第５罫線と平行な第６罫線を介して前記一対の第１側壁補強部にそれぞれ接続する一対の第１頂面部をさらに具えることができる。
【００１８】
前記第１の方向に沿った前記第１側壁補強部の両側にそれぞれ位置し、前記第２罫線と平行な第７罫線を介して前記第１側壁補強部に接続する４つの隅壁補強部をさらに具えることができる。
【００１９】
前記第２側壁部を挟んで前記底壁部の反対側に位置し、前記第２罫線と平行な第８罫線を介して前記一対の第２側壁部にそれぞれ接続する一対の第２頂面部と、前記第２頂面部を挟んで前記第２側壁部の反対側に位置し、前記第８罫線と平行な第９罫線を介して前記一対の第２頂面部にそれぞれ接続する一対の第２側壁補強部と、前記第２頂面部と反対側の第２側壁補強部の縁辺からそれぞれ突出する一対の第３差し込みタブと、前記第２罫線に沿ってこれらにそれぞれ接するように前記底壁部に形成され、組立形トレイの組立時に前記一対の第３差し込みタブがそれぞれ差し込まれる一対の第３差し込み孔とをさらに具えることができる。
【００２０】
前記底壁部と反対側の前記第２側壁部の縁辺から前記第１の方向にそれぞれ突出する一対の積み重ね案内タブをさらに具えることができる。
【００２１】
前記第１の方向に沿った前記差し込み孔の両端から前記底壁部の中央側に向けて前記底壁部に刻設された２本のスリットと、前記第１罫線と平行に前記底壁部に形成されて前記２本のスリットの先端を相互に接続する罫線とをさらに具えることができる。
【００２２】
本発明の第４の形態は、第１の方向に沿って相互に平行に延在する一対の第１罫線と、前記第１の方向に対して直交する第２の方向に沿って相互に平行に延在する一対の第２罫線と、前記第１罫線の両端および前記第２罫線の両端から前記第１および第２の方向，に対して交差する方向にそれぞれ延在する４つの斜辺とによって仕切られる八角形の底壁部と、
前記一対の第１罫線を介して前記底壁部にそれぞれ接続する一対の第１側壁部と、
前記一対の第２罫線を介して前記底壁部にそれぞれ接続する一対の第２側壁部と、
前記第２の方向に沿った前記一対の第２側壁部の両側にそれぞれ位置し、前記第１罫線と平行な第３罫線を介して前記一対の第２側壁部にそれぞれ接続する４つの隅壁部と、
前記隅壁部を挟んで前記一対の第２側壁部の反対側にそれぞれ位置し、前記第３罫線と平行な第４罫線を介して前記隅壁部にそれぞれ接続する４つの連結壁部と、
これら連結壁部からこれらにそれぞれ近接する前記第１側壁部側に向けてそれぞれ突出する複数の差し込みタブと、
前記一対の第１罫線に沿ってこれらにそれぞれ接するように前記底壁部に形成され、組立形トレイの組立時に前記差し込みタブがそれぞれ差し込まれる一対の差し込み孔と、
前記第２側壁部を挟んで前記底壁部の反対側に位置し、前記第２罫線と平行な第８罫線を介して前記一対の第２側壁部にそれぞれ接続する一対の第２頂面部と、
前記第２頂面部を挟んで前記第２側壁部の反対側に位置し、前記第８罫線と平行な第９罫線を介して前記一対の第２頂面部にそれぞれ接続する一対の第２側壁補強部と、
前記第２頂面部と反対側の第２側壁補強部の縁辺からそれぞれ突出する一対の第３差し込みタブと、
前記一対の第２罫線に沿ってこれらにそれぞれ接するように前記底壁部に形成され、組立形トレイの組立時に前記一対の第３差し込みタブがそれぞれ差し込まれる一対の第３差し込み孔と、
前記第１側壁部を挟んで前記底壁部の反対側に位置するように前記第１罫線と平行な第５罫線を介して前記一対の第１側壁部にそれぞれ接続し、前記第１の方向に沿った前記一対の第２罫線の間隔に等しい幅をそれぞれ有する一対の補強桟部と、
これら補強桟部から前記第２罫線と平行な第１０罫線を介して前記第１の方向に沿って外側にそれぞれ突出する４つの第４差し込みタブと、
前記一対の第２頂面部にそれぞれ形成され、組立形トレイの組立時に前記第４差し込みタブがそれぞれ差し込まれる４つの第４差し込み孔と
を具えたことを特徴とする組立形トレイのブランクシートにある。
【００２３】
本発明においては、例えば最初に第８罫線から第２頂面部を第２側壁補強部と共に９０°折り曲げ、同時に第１０罫線から第４差し込みタブを９０°折り曲げ、さらに第３罫線および第４罫線から隅壁部および連結壁部をそれぞれ折り曲げる。次に、第２罫線から第２側壁部を第２頂面部および第２側壁補強部と共に９０°折り曲げ、連結壁部から突出する差し込みタブを差し込み孔に差し込んで第１の方向に対向する２つの連結壁部の側端面を突合せ状態にする。しかる後、第９罫線から第２側壁補強部を９０°折り曲げて第２側壁部に重ね合わせ、第３差し込みタブを第３差し込み孔に差し込む。次いで、第１罫線から第１側壁部を９０°折り曲げて連結壁部に当接状態とする。そして、補強桟部を第５罫線から９０°折り曲げて第４差し込みタブを第４差し込み孔に挿入させ、補強桟部を介して第２側壁部の両側端部を相互に連結し、本発明の第２の形態による組立形トレイの組み立てを完了する。
【００２４】
本発明の第４の形態による組立形トレイのブランクシートにおいて、前記第１側壁部を挟んで前記底壁部の反対側に位置し、前記第１罫線と平行な第５罫線を介して前記一対の第１側壁部にそれぞれ接続する一対の第１側壁補強部と、前記第５罫線と反対側の前記第１側壁補強部の縁辺から前記第２の方向にそれぞれ突出し、組立形トレイの組立時に前記一対の差し込み孔にそれぞれ差し込まれる一対の第２差し込みタブとをさらに具え、個々の前記補強桟部は、前記第１の方向に沿った前記第１側壁補強部の両側縁辺に接してそれぞれ配されているものであってよい。この場合、前記第１側壁部と前記第１側壁補強部との間に配され、前記第５罫線を介して前記一対の第１側壁部にそれぞれ接続すると共に前記第５罫線と平行な第６罫線を介して前記一対の第１側壁補強部にそれぞれ接続する一対の第１頂面部をさらに具えることができる。また、前記差し込みタブと反対側の前記連結壁部の縁辺からそれぞれ突出し、前記第８罫線と平行な第１１罫線を介して前記連結壁部にそれぞれ接続する複数の第１頂面補強部をさらに具えることができる。
【００２５】
本発明の第３または第４の形態による組立形トレイのブランクシートにおいて、前記第２の方向に沿った個々の前記連結壁部の長さは、前記第１の方向に沿った前記第１側壁部の長さの１／２であることが好ましい。
【発明の効果】
【００２６】
本発明によると、外観が印象的な八角形の組立形トレイを得ることができる。
【００２７】
第２側壁補強部と、第２頂面部と、第３差し込みタブと、第３差し込み孔とをさらに具えている場合、第２側壁部を強固な二重構造にすることができる。
【００２８】
第１側壁補強部と、第１頂面部と、第２差し込みタブと、隅壁補強部とをさらに具えている場合、第１側壁部を強固な三重構造にすることができる。
【００２９】
積み重ね案内タブをさらに具えている場合、安定した状態で組立形トレイを上下に積み重ねることができる。
【００３０】
差し込み孔と罫線との間の２本のスリットで囲まれた底壁部の部分を折り曲げて差し込み孔の開口面積を拡げることができるようになっている場合、使用済みの組立形トレイの開梱作業を迅速かつ容易に行うことができる。
【００３１】
補強桟部と、第４差し込み孔と、第４差し込みタブとをさらに具えている場合、二重構造の第１側壁部と二重構造の第２側壁部とを補強桟部によって強固に連結することができる。
【００３２】
第１側壁補強部と、第１頂面部と、第２差し込みタブと、補強桟部と、第４差し込み孔と、第４差し込みタブとをさらに具えている場合、三重構造の第１側壁部と二重構造の第２側壁部とを補強桟部によって強固に連結することができる。
【００３３】
連結壁部の長さが第１側壁部の長さの１／２の場合、第１側壁部に対して連結壁部を密着状態にすることができる。
【００３４】
本発明の組立形トレイのブランクシートによると、本発明による組立形トレイを簡単な構成の製函機であっても自動的に組み立てることができる。
【図面の簡単な説明】
【００３５】
【図１】本発明による組立形トレイの第１実施形態の外観を表す立体投影図である。
【図２】図１に示した組立形トレイに対応したブランクシートの平面図である。
【図３】図１に示した組立形トレイを開梱する際の状態を模式的に表す立体投影図である。
【図４】図５と共に図２に示したブランクシートから組立形トレイの組立過程を模式的に表す立体投影図である。
【図５】図４と共に図２に示したブランクシートから組立形トレイの組立過程を模式的に表す立体投影図である。
【図６】本発明による組立形トレイの第２実施形態の外観を表す立体投影図である。
【図７】図６に示した組立形トレイに対応したブランクシートの平面図である。
【図８】図９，図１０と共に図７に示したブランクシートから組立形トレイの組立過程を模式的に表す立体投影図である。
【図９】図８，図１０と共に図７に示したブランクシートから組立形トレイの組立過程を模式的に表す立体投影図である。
【図１０】図８，図９と共に図７に示したブランクシートから組立形トレイの組立過程を模式的に表す立体投影図である。
【図１１】本発明による組立形トレイの第３実施形態の外観を表す立体投影図である。
【図１２】図１１に示した組立形トレイに対応したブランクシートの平面図である。
【図１３】図１４と共に図１２に示したブランクシートから組立形トレイの組立過程を模式的に表す立体投影図である。
【図１４】図１３と共に図１２に示したブランクシートから組立形トレイの組立過程を模式的に表す立体投影図である。
【図１５】本発明による組立形トレイの第４実施形態の外観を表す立体投影図である。
【図１６】図１５に示した組立形トレイに対応したブランクシートの平面図である。
【図１７】図１８〜図２０と共に図１６に示したブランクシートから組立形トレイの組立過程を模式的に表す立体投影図である。
【図１８】図１７，図１９，図２０と共に図１６に示したブランクシートから組立形トレイの組立過程を模式的に表す立体投影図である。
【図１９】図１７，図１８，図２０と共に図１６に示したブランクシートから組立形トレイの組立過程を模式的に表す立体投影図である。
【図２０】図１７〜図１９と共に図１６に示したブランクシートから組立形トレイの組立過程を模式的に表す立体投影図である。
【発明を実施するための形態】
【００３６】
本発明による組立形トレイの実施形態のいくつかについて、図１〜図２０を参照しながら以下に詳細に説明するが、本発明はこれらの実施形態に限らず、対象となる組立形トレイに要求される特性に応じてその構成を適宜変更することが可能である。なお、図中の破線および一点鎖線は、ブランクシートの谷折りおよび山折りを示している。
【００３７】
第１の実施形態による組立形トレイの外観を図１に示し、そのブランクシートの平面形状を図２に示す。すなわち、本実施形態における組立形トレイ１０は、八角形の底壁部ＦBと、一対の第１側壁部ＦS1と、一対の第２側壁部ＦS2と、４つの隅壁部ＦCとで主要部が画成される。第１側壁部ＦS1は第２側壁部ＦS2よりもその長さが短く、この点に関しては後述する他の実施形態も同じであるが、第１側壁部ＦS1と第２側壁部ＦS2とを同じ長さに設定することも可能である。また、第１側壁部ＦS1の内側には、連結壁部ＦJと第１側壁補強部ＦR1とがそれぞれ配され、隅壁部ＦCの内側には、隅壁補強部ＦRCがそれぞれ配されている。
【００３８】
底壁部ＦBは、相互に平行な一対の第１縁辺Ｌ1と、これら第１縁辺Ｌ1に対して直交する相互に平行な一対の第２縁辺Ｌ2と、第１縁辺Ｌ1および第２縁辺Ｌ2の両端からこれらに対して交差する方向にそれぞれ延在する４つの第３縁辺Ｃとにより仕切られている。第１縁辺Ｌ1および第２縁辺Ｌ2および第３縁辺Ｃは、ブランクシート１０Ｂの第１罫線Ｌ1および第２罫線Ｌ2および斜辺Ｃにそれぞれ対応する。
【００３９】
第１側壁部ＦS1は、第１縁辺Ｌ1を介して底壁部ＦBから立ち上がり、第２側壁部ＦS2は第２縁辺Ｌ2を介して底壁部ＦBから立ち上がり、第２側壁部ＦS2の両側縁辺Ｌ3にそれぞれ接続する隅壁部ＦCは、第３縁辺Ｃから立ち上がった状態となっている。
【００４０】
第２側壁部ＦS2と反対側の隅壁部ＦCの側縁辺Ｌ4には、第２側壁部ＦS2の内側に重ね合わされる連結壁部ＦJが接続し、連結壁部ＦJには、ここから底壁部ＦBに向けて突出する差し込みタブＴ1が形成されている。底壁部ＦBには、細長い差し込み孔Ｓ1が第１縁辺Ｌ1に接するように形成され、ここに差し込みタブＴ1が差し込まれるようになっている。
【００４１】
第１縁辺Ｌ1に沿った個々の連結壁部ＦJの長さは、第１縁辺Ｌ1に沿った第１側壁部ＦS1の長さの１／２に設定され、一対の第２側壁部ＦS2にそれぞれ接続する２つの連結壁部ＦJの側端面が相互に突き合わされた状態となっている。
【００４２】
この第１側壁部ＦS1との間に連結壁部ＦJを間に挟んだ状態で第１側壁部ＦS1に重ね合わされる第１側壁補強部ＦR1の上縁辺Ｌ6と、第１側壁部ＦS1の上縁辺Ｌ5とは、第１縁辺Ｌ1の反対側で第１頂面部ＦT1を介して相互に接続している。第１側壁補強部ＦR1の両側縁辺Ｌ7には、隅壁部ＦCの内側に重ね合わされる隅壁補強部ＦRCが接続している。また、第１側壁補強部ＦR1には、第１側壁補強部ＦR1から底壁部ＦBに向けて突出して差し込み孔Ｓ1に差し込まれる第２差し込みタブＴ2が形成されている。
【００４３】
このように、隅壁部ＦCを介して第２側壁部ＦS2につながる連結壁部ＦJの差し込みタブＴ1が底壁部ＦBの差し込み孔Ｓ1に係止した状態となっているため、第２側壁部ＦS2を底壁部ＦBから安定して立ち上がった状態に維持することができる。しかも、第１側壁部ＦS1は連結壁部ＦJおよび第１側壁補強部ＦR1が重ね合わされた三重構造となり、隅壁部ＦCは隅壁補強部ＦRCが重ね合わされた二重構造を有しているため、剛性の高い組立形トレイ１０を得ることができる。
【００４４】
本実施形態の第２側壁部ＦS2には、ここから底壁部ＦBの反対側に向けて突出する積み重ね案内タブＴ0が形成されている。これら積み重ね案内タブＴ0は、図１に示すように積み重ねられる上側に位置する組立形トレイ１０の第２側壁部ＦS2に当接してこれを安定状態で保持する機能を持つ。つまり、この組立形トレイ１０を積み重ねる場合、下側に位置する組立形トレイ１０の積み重ね案内タブＴ0を外側に少し撓ませた状態で、これらの間に上側に配される組立形トレイ１０を載置すればよい。これにより、上側に位置する組立形トレイ１０の第２側壁部ＦS2が下側に位置する組立形トレイ１０の積み重ね案内タブＴ0に挟まれた状態となり、複数の組立形トレイ１０を安定して積み重ねることが可能となる。
【００４５】
また、本実施形態の底壁部ＦBには、差し込み孔Ｓ1の両側端から底壁部ＦBの中央側に向けて２本のスリットＳ0が刻設され、これら２本のスリットＳ0の先端を相互に接続する罫線Ｌ0が第１縁辺Ｌ1と平行に底壁部ＦBに形成されている。従って、この組立形トレイ１０を開梱する場合、この時の作業状態を模式的に示す図３に示すように、差し込み孔Ｓ1と罫線Ｌ0との間の２本のスリットＳ0で囲まれた底壁部ＦBの部分を作業者の指で下方に押し込む。そして、この部分を罫線Ｌ0から外側に折り曲げて差し込み孔Ｓ1の開口面積を拡げた後、第２差し込みタブＴ2の部分を指に引っ掛けて第１側壁補強部ＦR1を隅壁補強部ＦRCと共に上に引き上げる。これにより、組立形トレイ１０の開梱作業を迅速かつ容易に行うことが可能となる。
【００４６】
この組立形トレイ１０は、段ボール紙などを利用した図２に示す如きブランクシート１０Ｂから作ることができ、この組み立て過程を模式的に図４および図５に示すが、これに限定されない。本実施形態では、最初に隅壁部ＦCの両側縁辺Ｌ3，Ｌ4、すなわち第３罫線Ｌ3および第４罫線Ｌ4から隅壁部ＦCおよび連結壁部ＦJをそれぞれ折り曲げた後、第２の方向に沿って延在する第２罫線Ｌ2から第２側壁部ＦS2を９０°折り曲げる。そして、連結壁部ＦJにそれぞれ近接する第１側壁部側ＦS1に向けて連結壁部ＦJから突出する差し込みタブＴ1を差し込み孔Ｓ1に差し込み（図４参照）、第１の罫線Ｌ1と平行な第１の方向に対向する２つの連結壁部ＦJの側端面を突合せ状態にする。
【００４７】
しかる後、第１の方向に沿って延在する第１罫線Ｌ1から第１側壁部ＦS1を９０°折り曲げてこれを連結壁部ＦJに当接状態とし、この状態にて第１側壁補強部ＦR1の側縁辺Ｌ7、すなわち第７罫線Ｌ7から隅壁補強部ＦRCを４５°外側に折り曲げる。さらに、第１側壁部ＦS1の上縁辺Ｌ5、すなわち第５罫線Ｌ5から第１頂面部ＦT1および第１側壁補強部ＦR1を９０°内側に折り曲げる。しかる後、第１側壁補強部ＦR1の上縁辺Ｌ6、すなわち第６罫線Ｌ6から第１側壁補強部ＦR1を隅壁補強部ＦRCと共に９０°内側に折り曲げて第２差し込みタブＴ2を差し込み孔Ｓ1に差し込むことにより、図１に示した組立形トレイ１０の組み立てを完了する。
【００４８】
このように、ブランクシート１０Ｂの折曲作業に特別複雑な操作を必要としないので、簡便な製函機にて組立形トレイ１０をブランクシート１０Ｂから自動的に組み立てることが可能である。なお、ブランクシート１０Ｂを構成する段ボール紙の種類によっては、罫線Ｌ0および第５，６罫線Ｌ5，Ｌ6にスリットを間欠的に形成することも有効である。
【００４９】
次に、第２側壁部ＦS2の内側に第２側壁補強部ＦR2を配した本発明の第２の実施形態による組立形トレイ１０の外観を図６に示し、そのブランクシート１０Ｂの平面形状を図７に示す。なお、先の実施形態と同一機能の要素にはこれと同一符号を記すに留め、重複する説明を省略する。
【００５０】
本実施形態における組立形トレイ１０は、第２側壁部ＦS2にそれぞれ重ね合わされる第２側壁補強部ＦR2と、第２縁辺Ｌ2の反対側の第２側壁部ＦS2の上縁辺Ｌ8および第２側壁補強部ＦR2の上縁辺Ｌ9にそれぞれ接続する一対の第２頂面部ＦT2とをさらに具えている。また、本実施形態の底壁部ＦBには、第３差し込み孔Ｓ3が第２縁辺Ｌ2にそれぞれ接するように形成され、第２側壁補強部ＦR2には、ここから底壁部ＦBに向けて突出して第３差し込み孔Ｓ3に差し込まれる第３差し込みタブＴ3が形成されている。なお、ブランクシート１０Ｂが薄い場合には、第２頂面部ＦT2を形成せずともよい。
【００５１】
本実施形態では、第２側壁部ＦS2が二重構造となって第２側壁補強部ＦR2が折り重ね合わされているため、第１実施形態のものよりも剛性の高い組立形トレイ１０を得ることができる。
【００５２】
図７に示すブランクシート１０Ｂから、この組立形トレイ１０の組み立て過程を模式的に図８〜図１０に示すが、これに限定されない。本実施形態では、最初に第３罫線Ｌ3および第４罫線Ｌ4から隅壁部ＦCおよび連結壁部ＦJを折り曲げると共に第２側壁部ＦS2の上縁辺Ｌ8、すなわち第８罫線Ｌ8から第２頂面部ＦT2を第２側壁補強部ＦR2と共に折り曲げる（図８参照）。次に、第２罫線Ｌ2から第２側壁部ＦS2を折り曲げ、連結壁部ＦJから突出する差し込みタブＴ1を差し込み孔Ｓ1に差し込んで第１罫線Ｌ1と平行な第１の方向に対向する２つの連結壁部ＦJの側端面を突合せ状態にする。さらに、第２側壁補強部ＦR2の上縁辺Ｌ9、すなわち第９罫線Ｌ9から第２側壁補強部ＦR2を折り曲げて第２側壁部ＦS2に重ね合わせ、第３差し込みタブＴ3を第３差し込み孔Ｓ3に差し込む（図９参照）。
【００５３】
しかる後、第１罫線Ｌ1から第１側壁部ＦS1を９０°折り曲げて連結壁部ＦJに当接状態とし、この状態にて第７罫線Ｌ7から隅壁補強部ＦRCを４５°外側に折り曲げ、さらに第５罫線Ｌ5から第１頂面部ＦT1および第１側壁補強部ＦR1を９０°内側に折り曲げる。最後に、第６罫線Ｌ6から第１側壁補強部ＦR1を隅壁補強部ＦRCと共に９０°内側に折り曲げ（図１０参照）、第２差し込みタブＴ2を差し込み孔Ｓ1に差し込むことにより、図６に示す組立形トレイ１０の組み立てを完了する。
【００５４】
本実施形態も先の実施形態と同様に、ブランクシート１０Ｂの折曲作業に特別複雑な操作を必要としないので、簡便な製函機にて組立形トレイ１０をブランクシート１０Ｂから自動的に組み立てることが可能である。なお、ブランクシート１０Ｂを構成する段ボール紙の種類によっては、第５，第６，第８，第９罫線Ｌ5，Ｌ6，Ｌ8，Ｌ9にそれぞれスリットを間欠的に形成することが好ましい場合がある。
【００５５】
次に、上述した第１側壁補強部ＦR1および隅壁補強部ＦRCに代えて補強桟部ＦRBを有する本発明の第３実施形態による組立形トレイ１０の外観を図１１に示し、そのブランクシート１０Ｂの平面形状を図１２に示す。本実施形態においても、先の実施形態と同一機能の要素にはこれと同一符号を記すに留め、重複する説明を省略する。
【００５６】
本実施形態における組立形トレイ１０は、第１縁辺Ｌ1の反対側の第１側壁部ＦS1の上縁辺Ｌ5に接続して底壁部ＦBと対向する一対の補強桟部ＦRBを具えている。これら補強桟部ＦRBは、第１縁辺Ｌ1と平行な第１の方向に沿った一対の第２縁辺Ｌ2の間隔にほぼ等しい幅をそれぞれ有する。第２頂面部ＦT2とそれぞれ対向する補強桟部ＦRBの両縁辺Ｌ10には、補強桟部ＦRBの第２頂面部ＦT2に形成された第４差し込み孔Ｓ4にそれぞれ差し込まれる第４差し込みタブＴ4が形成されている。従って、第４差し込みタブＴ4は第２側壁部ＦS2と第２側壁補強部ＦR2との間に挟まれた状態となる。
【００５７】
本実施形態では、相互に対向する第２側壁部ＦS2の両側端部に第４差し込みタブＴ4を介して補強桟部ＦRBが連結されているため、上述した第１および第２実施形態のものよりもさらに剛性の高い組立形トレイ１０を得ることができる。
【００５８】
図１２に示すブランクシート１０Ｂから、この組立形トレイ１０の組み立て過程を模式的に図１３および図１４に示すが、これに限定されない。本実施形態では、最初に第８罫線Ｌ8から第２頂面部ＦT2を第２側壁補強部ＦR2と共に９０°折り曲げると共に補強桟部ＦRBの両縁辺Ｌ10、すなわち第１０罫線Ｌ10から第４差し込みタブＴ4を９０°折り曲げる。次に、第３罫線Ｌ3および第４罫線Ｌ4から隅壁部ＦCおよび連結壁部ＦJをそれぞれ折り曲げる。しかる後、第２罫線Ｌ2から第２側壁部ＦS2を９０°折り曲げ、連結壁部ＦJから突出する差し込みタブＴ1を差し込み孔Ｓ1に差し込み（図１３参照）、第１罫線Ｌ1と平行な第１の方向に対向する２つの連結壁部ＦJの側端面を突合せ状態にする。さらに、第９罫線Ｌ9から第２側壁補強部ＦR2を９０°折り曲げて第２側壁部ＦS2に重ね合わせ、第３差し込みタブＴ3を第３差し込み孔Ｓ3に差し込んだ後、第１罫線Ｌ1から第１側壁部ＦS1を９０°折り曲げて連結壁部ＦJに当接状態とする（図１４参照）。最後に、第５罫線Ｌ5から補強桟部ＦRBを９０°折り曲げて第４差し込みタブＴ4を第４差し込み孔Ｓ4に挿入させ、補強桟部ＦRBを介して第２側壁部ＦS2の両側端部を相互に連結して、図１１に示した組立形トレイ１０の組み立てを完了する。
【００５９】
本実施形態においても先の実施形態と同様に、ブランクシート１０Ｂの折曲作業に特別複雑な操作を必要としないので、簡便な製函機にて組立形トレイ１０をブランクシート１０Ｂから自動的に組み立てることが可能である。なお、ブランクシート１０Ｂを構成する段ボール紙の種類によっては、第５罫線Ｌ5にスリットを間欠的に形成することも有効である。
【００６０】
最後に、上述した第１側壁補強部ＦR1と補強桟部ＦRBとを併せ持つ本発明の第４実施形態による組立形トレイ１０の外観を図１５に示し、そのブランクシート１０Ｂの平面形状を図１６に示す。本実施形態においても、先の実施形態と同一機能の要素にはこれと同一符号を記すに留め、重複する説明を省略する。
【００６１】
この組立形トレイ１０は、図１１〜図１４に示した第３実施形態における補強桟部ＦRBの第１の方向に沿った中央部が第１頂面部ＦT1および第１側壁補強部ＦR1によって分断された状態となっている。換言すると、第１縁辺Ｌ1と平行な第１の方向に沿った第１頂面部ＦT1の両側に位置する２つの補強桟部ＦRBが本発明における一対の補強桟部ＦRBの一方を構成する。従って、第１頂面部ＦT1と、その両側に位置する分断状態の２つの補強桟部ＦRBとが第１側壁部ＦS1の上縁辺Ｌ5を介して第１側壁部ＦS1に接続している。これら２つの補強桟部ＦRBの側縁辺Ｌ10の間隔は、第１の方向に沿った一対の第２縁辺Ｌ2、すなわち第２罫線Ｌ2の間隔にほぼ等しく設定されている。補強桟部ＦRBから第２側壁部ＦS2の上縁辺Ｌ8と平行な側縁辺Ｌ10を介して底壁部ＦB側に折れ曲る第４差し込みタブＴ4は、第４差し込み孔Ｓ4を介して第２側壁部ＦS2と第２側壁補強部ＦR2との間にそれぞれ差し込まれ、第１側壁部ＦS1と第２側壁部ＦS2とを連結している。また、本実施形態における連結壁部ＦJの差し込みタブＴ1と反対側の上縁辺Ｌ11には、第２縁辺Ｌ2と平行な方向に対向する第１側壁部ＦS1に向けて突出する第１頂面補強部ＦRTが形成されている。
【００６２】
本実施形態では、第１側壁部ＦS1の部分的な三重構造に加え、第１側壁部ＦS1と一体の一対の補強桟部ＦRBが第４差し込みタブＴ4を介して一対の第２側壁部ＦS2に連結された状態となっている。このため、上述した第１〜第３実施形態のものよりもさらに剛性の高い組立形トレイ１０を得ることができる。
【００６３】
図１６に示すブランクシート１０Ｂから、この組立形トレイ１０の組み立て過程を模式的に図１７〜図２０に示すが、これに限定されない。本実施形態では、最初に第８罫線Ｌ8から第２頂面部ＦT2を第２側壁補強部ＦR2と共に９０°折り曲げると共に連結壁部ＦJの上縁辺Ｌ11、すなわち第１１罫線Ｌ11から第１頂面補強部ＦRTを９０°折り曲げる。同時に、補強桟部ＦRBの側縁辺Ｌ10、すなわち第１０罫線Ｌ10から第４差し込みタブＴ4を９０°折り曲げる（図１７参照）。次に、第３罫線Ｌ3および第４罫線Ｌ4から隅壁部ＦCおよび連結壁部ＦJを折り曲げる。そして、第２罫線Ｌ2から第２側壁部ＦS2を９０°折り曲げ、連結壁部ＦJから突出する差し込みタブＴ1を差し込み孔Ｓ1に差し込み（図１８参照）、第１罫線Ｌ1と平行な第１の方向に対向する２つの連結壁部ＦJの側端面を突合せ状態にする。さらに、第９罫線Ｌ9から第２側壁補強部ＦR2を９０°折り曲げて第２側壁部ＦS2に重ね合わせ、第３差し込みタブＴ3を第３差し込み孔Ｓ3に差し込む（図１９参照）。
【００６４】
しかる後、第１罫線Ｌ1から第１側壁部ＦS1を９０°折り曲げて連結壁部ＦJに当接状態とする。そして、第５罫線Ｌ5から第１頂面部ＦT1および第１側壁補強部ＦR1を補強桟部ＦRBと共に９０°折り曲げ、第４差し込みタブＴ4を第４差し込み孔Ｓ4に挿入させ、補強桟部ＦRBを介して第２側壁部ＦS2の両側端部を相互に連結する（図２０参照）。最後に、第６罫線Ｌ6から第１側壁補強部ＦR1を９０°折り曲げ、第１側壁部ＦS1との間に連結壁部ＦJを挟み込んだ状態で第２差し込みタブＴ2を差し込み孔Ｓ1に差し込み、図１５に示した組立形トレイ１０の組み立てを完了する。
【００６５】
このように、本実施形態においても先の実施形態と同様に、ブランクシート１０Ｂの折曲作業に特別複雑な操作を必要としないので、簡便な製函機にて組立形トレイ１０をブランクシート１０Ｂから自動的に組み立てることが可能である。なお、ブランクシート１０Ｂを構成する段ボール紙の種類によっては、第５罫線Ｌ5のうちの第１側壁部ＦS1と第１側壁補強部ＦR1との境界をなす部分および第６罫線Ｌ6と共に第１１罫線Ｌ11にスリットを間欠的に形成するようにしてもよい。
【００６６】
なお、本発明はその特許請求の範囲に記載された事項のみから解釈されるべきものであり、上述した実施形態においても、本発明の概念に包含されるあらゆる変更や修正が記載した事項以外に可能である。つまり、上述した実施形態におけるすべての事項は、本発明を限定するためのものではなく、本発明とは直接的に関係のないあらゆる構成を含め、その用途や目的などに応じて任意に変更し得るものである。
【符号の説明】
【００６７】
１０  組立形トレイ
１０Ｂ  ブランクシート
Ｃ  第３縁辺（斜辺）
ＦB  底壁部
ＦC  隅壁部
ＦJ  連結壁部
ＦS1  第１側壁部
ＦS2  第２側壁部
ＦR1  第１側壁補強部
ＦR2  第２側壁補強部
ＦRB  補強桟部
ＦRC  隅壁補強部
ＦRT  第１頂面補強部
ＦT1  第１頂面部
ＦT2  第２頂面部
Ｌ0  罫線
Ｌ1  第１縁辺（第１罫線）
Ｌ2  第２縁辺（第２罫線）
Ｌ3〜Ｌ11  第３〜１１罫線
Ｓ0  スリット
Ｓ1  差し込み孔
Ｓ2〜Ｓ4  第２〜４差し込み孔
Ｔ0  積み重ね案内タブ
Ｔ1  差し込みタブ
Ｔ2〜Ｔ4  第２〜４差し込みタブ
【図１】
0006614019.tif 000002
【図２】
0006614019.tif 000003
【図３】
0006614019.tif 000004
【図４】
0006614019.tif 000005
【図５】
0006614019.tif 000006
【図６】
0006614019.tif 000007
【図７】
0006614019.tif 000008
【図８】
0006614019.tif 000009
【図９】
0006614019.tif 000010
【図１０】
0006614019.tif 000011
【図１１】
0006614019.tif 000012
【図１２】
0006614019.tif 000013
【図１３】
0006614019.tif 000014
【図１４】
0006614019.tif 000015
【図１５】
0006614019.tif 000016
【図１６】
0006614019.tif 000017
【図１７】
0006614019.tif 000018
【図１８】
0006614019.tif 000019
【図１９】
0006614019.tif 000020
【図２０】
0006614019.tif 000021